(57)【要約】【課題】押圧釦のストロークの変更を容易に行うことのできるスイッチ構造及び電子機器を提供する。【解決手段】本発明のスイッチ構造は、押圧部２３と、押圧部２３から延びる延在部２５とを有し、延在部２５の側面の所定位置に第１導通部３２が形成された押圧釦９と、押圧釦９の延在部２５が挿入される挿入孔２８が設けられた釦受け部２１と、前記挿入孔２８の内面に形成された、該挿入孔２８の深さ方向に延びる第２導通部３４と、前記挿入孔２８の開口端部からの距離が異なる複数の位置に形成された複数の第３導通部３６と、を備え、押圧釦９の延在部２５が挿入孔２８に挿入されたときに、第１導通部３２により、第２導通部３４と、延在部２５が挿入された深さに応じて前記所定位置に形成された第１導通部３２が接触する第３導通部３６と、が導通すること、を特徴とする。【選択図】図２
2010177169.tif 000002
【特許請求の範囲】
【請求項１】
挿入孔が設けられ、該挿入孔の内面に形成された深さ方向に延びる第１導通部、及び、前記挿入孔の開口端部からの距離が異なる複数の位置に形成された複数の第２導通部を有する本体部と、
押圧部、及び、前記押圧部の押圧によって前記挿入孔に挿入される挿入部を有すると共に、該挿入部の側面の所定位置に第３導通部が形成された挿入部材と、
前記複数の第２導通部のうちの、いずれの前記第２導通部を外部と導通させるかを切り替える切替部と、を備え、
前記押圧部の前記挿入部が前記挿入孔に挿入された際に、前記第３導通部は、一方で前記第１導通部と導通しつつ、他方で挿入深さに応じていずれかの前記第２導通部と導通し、前記第３導通部が、前記切替部により選択された前記第２導通部と導通したときに、前記第１導通部が前記第３導通部及び前記第２導通部を介して外部と導通すること、
を特徴とするスイッチ構造。
【請求項２】
請求項１に記載のスイッチ構造であって、
前記切替部は、
前記第２導通部のそれぞれと導通する複数の接点部と、
該接点部間をスライド移動可能なスライド部と、
を有することを特徴とするスイッチ構造。
【請求項３】
請求項１又は２に記載のスイッチ構造であって、
複数の前記第２導通部がグループ分けされており、
前記切替部がグループごとに設けられていること、
を特徴とするスイッチ構造。
【請求項４】
請求項３に記載のスイッチ構造であって、
前記複数の前記第２導通部が前記挿入孔の開口端部に近い側の第１グループと、
遠い側の第２グループとにグループ分けされ、
前記切替部が、前記第１グループに対応する第１切替部と、前記第２グループに対応する第２切替部と、
有することを特徴とするスイッチ構造。
【請求項５】
請求項１に記載のスイッチ構造であって、
前記挿入部材は、
前記押圧部と、該押圧部から延びる延在部を有する第１挿入部材と、
前記挿入部と、前記第１挿入部材の前記延在部が挿入される開口部と、を有する第２挿入部材と、
を有し、
前記第１挿入部材を前記開口部に挿入していくと、前記第１挿入部材の前記押圧部が前記第２挿入部材の上面に当接し、
さらなる前記押圧部の押圧により、前記第１挿入部材と前記第２挿入部材とが一体となって、前記挿入部に挿入されること、を特徴とするスイッチ構造。
【請求項６】
請求項５に記載のスイッチ構造であって、
前記挿入部の内面に第４導通部が設けられ、
前記延在部の外面に第５導通部が設けられ
前記第１挿入部材の前記延在部を前記挿入部に挿入していき、第５導通部が第４導通部と接触するとオンになる第１スイッチを備えること、
を特徴とするスイッチ構造。
【請求項７】
請求項５又は６に記載のスイッチ構造であって、
前記第２挿入部材の上面の前記第１挿入部材の前記押圧部に対する相対的位置を変更する位置調整部材を備えること、
を特徴とするスイッチ構造。
【請求項８】
請求項１〜７のいずれか１項に記載のスイッチ構造であって、
前記導通部の少なくとも一つは二色成型により形成されていること、
を特徴とするスイッチ構造。
【請求項９】
請求項４に記載のスイッチ構造を具備し、
前記第１切替部によって選択された前記第２導通部が外部と導通すると半押し状態が検出され、フォーカシング動作が開始され、
前記第２切替部によって選択された前記第２導通部が外部と導通すると全押し状態が検出され、シャッタレリーズ動作が開始されること、
を特徴とする光学機器。
【請求項１０】
請求項６に記載のスイッチ構造を具備し、
前記第１スイッチがオンになると前記第４導通部が外部と導通して半押し状態が検出され、フォーカシング動作が開始され、
前記切替部によって選択された前記第２導通部が外部と導通すると全押し状態が検出され、シャッタレリーズ動作が開始されること、
を特徴とする光学機器。
【発明の詳細な説明】
【技術分野】
【０００１】
本発明は、スイッチ構造並びにそれを備える電子機器及び光学機器に関するものである。
【背景技術】
【０００２】
電子機器、例えばカメラは、レリーズ釦を備えている。従来、そのレリーズ釦の押し力量は、レリーズ釦の付勢ばねの力量を機械的に変更することにより調整されている（例えば、特許文献１参照）。
【先行技術文献】
【特許文献】
【０００３】
【特許文献１】特開２００３−２９５２９９号公報
【発明の概要】
【発明が解決しようとする課題】
【０００４】
しかし、レリーズ釦の半押しや全押しの際のストロークの変更を簡単な構造で達成できる技術は知られていない。
【０００５】
本発明の課題は、押圧釦のストロークの変更を容易に行うことのできるスイッチ構造及び電子機器を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、挿入孔（３１Ｃ，６１Ｂ）が設けられ、該挿入孔（３１Ｃ，６１Ｂ）の内面に形成された深さ方向に延びる第１導通部（３４，６６）、及び、前記挿入孔（３１Ｃ，６１Ｂ）の開口端部からの距離が異なる複数の位置に形成された複数の第２導通部（３５，６７）を有する本体部（１０Ｂ）と、押圧部（３２Ａ，６４Ａ）、及び、前記押圧部（３２Ａ，６４Ａ）の押圧によって前記挿入孔（３１Ｃ，６１Ｂ）に挿入される挿入部（３２Ｂ，６２Ａ）を有すると共に、該挿入部（３２Ｂ，６２Ａ）の側面の所定位置に第３導通部（３６，６８）が形成された挿入部材（３２，６２，６４）と、前記複数の第２導通部（３５，６７）のうちの、いずれの前記第２導通部（３５，６７）を外部と導通させるかを切り替える切替部（４０）と、を備え、前記押圧部（３２Ａ，６４Ａ）の前記挿入部（３２Ｂ，６２Ａ）が前記挿入孔（３１Ｃ，６１Ｂ）に挿入された際に、前記第３導通部（３６，６８）は、一方で前記第１導通部（３４，６６）と導通しつつ、他方で挿入深さに応じていずれかの前記第２導通部（３５，６７）と導通し、前記第３導通部（３６，６８）が、前記切替部（４０）により選択された前記第２導通部（３５，６７）と導通したときに、前記第１導通部（３４，６６）が前記第３導通部（３６，６８）及び前記第２導通部（３５，６７）を介して外部と導通すること、を特徴とするスイッチ構造（１）である。
請求項２に記載の発明は、請求項１に記載のスイッチ構造（１）であって、前記切替部（４０）は、前記第２導通部（３５）のそれぞれ（３５Ａａ，３５Ａｂ，３５Ａｃ，３５Ｂａ，３５Ｂｂ，３５Ｂｃ，３５Ｂｄ）と導通する複数の接点部（４１ａ，４１ｂ，４１ｃ，４２ａ，４２ｂ，４２ｃ，４２ｄ）と、該接点部（４１ａ，４１ｂ，４１ｃ，４２ａ，４２ｂ，４２ｃ，４２ｄ）間をスライド移動可能なスライド部（４１Ｃ，４２Ｃ）と、を有することを特徴とするスイッチ構造（１）である。
請求項３に記載の発明は、請求項１又は２に記載のスイッチ構造（１）であって、複数の前記第２導通部（３５）がグループ分けされており、前記切替部（４０）がグループごとに設けられていること、を特徴とするスイッチ構造（１）である。
請求項４に記載の発明は、請求項３に記載のスイッチ構造（１）であって、前記複数の前記第２導通部（３５）が前記挿入孔（３１Ｃ，６１Ｂ）の開口端部に近い側の第１グループ（３５Ａａ，３５Ａｂ，３５Ａｃ）と、遠い側の第２グループ（３５Ｂａ，３５Ｂｂ，３５Ｂｃ，３５Ｂｄ）とにグループ分けされ、前記切替部（４０）が、前記第１グループに対応する第１切替部（４１）と、前記第２グループに対応する第２切替部（４２）と、有することを特徴とするスイッチ構造（１）である。
請求項５に記載の発明は、請求項１に記載のスイッチ構造（１）であって、前記挿入部材（６４）は、前記押圧部（６４Ａ）と、該押圧部（６４Ａ）から延びる延在部（６４Ｂ）を有する第１挿入部材（６４）と、前記挿入部（６２Ａ）と、前記第１挿入部材（６４）の前記延在部（６４Ｂ）が挿入される開口部（６２Ｃ）と、を有する第２挿入部材（６２）と、を有し、前記第１挿入部材（６４）を前記開口部（６２Ｃ）に挿入していくと、前記第１挿入部材（６４）の前記押圧部（６４Ａ）が前記第２挿入部材（６２）の上面に当接し、さらなる前記押圧部（６４Ａ）の押圧により、前記第１挿入部材（６４）と前記第２挿入部材（６２）とが一体となって、前記挿入部（６１Ｂ）に挿入されること、を特徴とするスイッチ構造（１）である。
請求項６に記載の発明は、請求項５に記載のスイッチ構造（１）であって、前記挿入部（６２Ａ）の内面に第４導通部（６２ａ）が設けられ、前記延在部（６４Ｂ）の外面に第５導通部（６４ａ）が設けられ、前記第１挿入部材（６４）の前記延在部（６４Ｂ）を前記挿入部（６２Ａ）に挿入していき、第５導通部（６４ａ）が第４導通部（６２ａ）と接触するとオンになる第１スイッチ（７１）を備えること、を特徴とするスイッチ構造（１）である。
請求項７に記載の発明は、請求項５又は６に記載のスイッチ構造（１）であって、前記第２挿入部材（６２）の上面の前記第１挿入部材（６４）の前記押圧部（６４Ａ）に対する相対的位置を変更する位置調整部材（６３）を備えること、を特徴とするスイッチ構造（１）である。
請求項８に記載の発明は、請求項１〜７のいずれか１項に記載のスイッチ構造（１）であって、前記導通部（３４，３５，３６，６２，６４ａ，６６，６７，６８）の少なくとも一つは二色成型により形成されていること、を特徴とするスイッチ構造（１）である。
請求項９に記載の発明は、請求項４に記載のスイッチ構造（１）を具備し、前記第１切替部（４１）によって選択された前記第２導通部（３５Ａａ，３５Ａｂ，３５Ａｃ）が外部と導通すると半押し状態が検出され、フォーカシング動作が開始され、前記第２切替部（４２）によって選択された前記第２導通部（３５Ｂａ，３５Ｂｂ，３５Ｂｃ，３５Ｂｄ）が外部と導通すると全押し状態が検出され、シャッタレリーズ動作が開始されること、を特徴とする光学機器（１０）である。
請求項１０に記載の発明は、請求項６に記載のスイッチ構造（１）を具備し、前記第１スイッチ（７１）がオンになると前記第４導通部（６２ｂ）が外部と導通して半押し状態が検出され、フォーカシング動作が開始され、前記切替部によって選択された前記第２導通部（６７ａ，６７ｂ，６７ｃ，６７ｄ）が外部と導通すると全押し状態が検出され、シャッタレリーズ動作が開始されること、を特徴とする光学機器（１０）である。
【０００７】
なお、符号を付して説明した構成は、適宜改良してもよく、また、少なくとも一部を他の構成物に代替してもよい。
【発明の効果】
【０００８】
本発明によれば、押圧釦のストロークの変更を容易に行うことのできるスイッチ構造及び電子機器を提供することができる。
【図面の簡単な説明】
【０００９】
【図１】本発明の第１実施形態のカメラの構成を示すブロック図である。
【図２】レリーズスイッチのスイッチ構造を概念的に示す断面図である。
【図３】レリーズ調整部の切り替えスイッチ構造を概念的に示し、（Ａ）は半押し調整スイッチ、（Ｂ）は全押し調整スイッチの断面図である。
【図４】レリーズストローク調整制御回路のブロック図である。
【図５】第２の実施形態のレリーズスイッチのスイッチ構造を概念的に示す断面図である。
【図６】中間フロートの斜視図である。
【図７】調整リングの斜視図である。
【図８】第２の実施形態のレリーズストローク調整制御回路のブロック図である。
【発明を実施するための形態】
【００１０】
（第１実施形態）
以下、図面を参照して、本発明の第１実施形態のスイッチ構造について説明する。なお、本実施形態では、一眼レフのデジタルカメラを例に説明するが、これに限定されず、いわゆるコンパクトカメラでもよく、さらにカメラに限らず、スイッチ構造を有するものであれば、他の電子機器であってもよい。
【００１１】
図１は、電子機器及び光学機器としてのカメラ１０の構成を示すブロック図である。
カメラ１０は、光軸ＯＡに沿って、撮影レンズ１１、ミラー部１２及び撮像素子１３を備えている。また、撮影レンズ１１に入射した光のうちの、ミラー部１２によって図中上方に向けられた光が入射するファインダー部１４と、ミラー部１２によって図中下方に向けられた光が入射する測距部１５とを備えている。カメラ１０は、また、撮像素子１３及び測距部１５からの情報が入力される制御部２０を備えている。カメラ１０は、さらに、レリーズスイッチ３０、レリーズ調整部４０、操作部１６、表示部１７、及びフォーカス制御部１８を備えている。なお、レリーズスイッチ３０とレリーズ調整部４０とで本実施形態のスイッチ構造１を構成する。
制御部２０には、レリーズスイッチ３０、レリーズ調整部４０、操作部１６、表示部１７、及びフォーカス制御部１８が接続されている。
【００１２】
撮影レンズ１１は、被写体像光を撮像素子１３の撮像面等に結像させる光学系であり、この光学系の焦点位置を調整するためのフォーカスレンズを含む複数のレンズ群を備えている。
【００１３】
ミラー部１２は、撮影レンズ１１の出射側に配置されており、メインミラー１２ａ及びサブミラー１２ｂを備えている。
メインミラー１２ａは、撮影レンズ１１を通過した光をファインダー部１４に向けて反射する鏡である。メインミラー１２ａは、その一部がハーフミラーとなっており、光の一部を透過させる。また、メインミラー１２ａは、撮影時にレリーズスイッチ３０が押圧操作されると、その端部に設けられた不図示の軸の回りに回動して反射面が光軸Ａに対して略平行となる位置に退避すると共に撮影終了後には初期位置に戻る、いわゆる、クイックリターンミラーである。
サブミラー１２ｂは、メインミラー１２ａのハーフミラー部分を透過した光の進路を、例えば９０°、メインミラー１２ａとは反対の方向に屈曲させて後述する測距部１５に反射させる鏡である。
【００１４】
撮像素子１３は、メインミラー１２ａが退避したときに、光軸Ａに沿った光が届く位置に設けられ、撮影レンズ１１が結像した像を電気信号に変換する例えばＣＣＤ等の撮像素子である。
ミラー部１２と撮像素子１３との間には、露光時間を制御するシャッタ１９が設けられている。
【００１５】
ファインダー部１４は、メインミラー１２ａによって図中上方に反射偏向された光が入射するものであり、ペンタプリズム１４ａと焦点板１４ｂと備えている。
ペンタプリズム１４ａは、メインミラー１２ａが反射した光の進路を屈曲させて接眼部（接眼レンズ１４ｃ）に導く光学素子である。ペンタプリズム１４ａは、例えば、カメラ１０を通常撮影位置としたときに、ミラー部１２の上方に設けられている。なお、本明細書において、カメラの通常撮影位置とは、光軸を水平にして横長の画像を撮影する際のカメラの位置をさすものとする。
【００１６】
測距部１５は、サブミラー１２ｂによって屈曲された光を２つに分けて視差のある二つの像を生成し、生成した二つの像をそれぞれ電気信号に変換する。そして、変換した電気信号を制御部２０に出力する。
【００１７】
制御部２０は、カメラ１０を構成する各要素を統括的に制御する情報処理部である。制御部２０は、測距部１５からの出力に基づいて、デフォーカス量を算出する。そして、フォーカス制御部１８により公知の位相差検出方式のオートフォーカス制御（ＡＦ制御）を行い、デフォーカス量がゼロとなるようにＡＦモータ１１Ｍを作動させてフォーカスレンズを駆動する。
【００１８】
また、制御部２０は、撮像素子１３により電気信号に変換された撮像情報を図示しない記録メディアに保存すると共に表示部１７に表示するように制御する。さらに、制御部２０は、表示部１７に各種操作画面を表示させ、操作部１６の操作によって表示部１７の画面上で任意の項目を選択できるように制御する。
【００１９】
レリーズスイッチ３０は、フォーカス制御部１８や露出測光及びシャッタ１９等の撮影に係る機能を作動させるための押し釦スイッチである。使用者の押圧操作による押圧ストローク（半押し状態及び全押し状態）に応じて、異なる作用のスイッチとして機能する。
【００２０】
レリーズ調整部４０は、レリーズスイッチ３０の押圧操作に係る押圧ストローク（半押し状態及び全押し状態）を、変更調整するためのスイッチ（半押し調整スイッチ４１及び全押し調整スイッチ４２）を備えている。これにより、各作用に係るレリーズスイッチ３０の押圧ストロークをユーザの好みに合わせることができるようになっている。
なお、レリーズスイッチ３０及びレリーズ調整部４０の構成及び作用については、後に詳述する。
【００２１】
操作部１６は、図示しない操作キーやメニュー釦、再生釦等の各種スイッチを含み、それらの操作によって後述する表示部１７に表示された各種機能の選択乃至解除等を行うことができるようになっている。
【００２２】
表示部１７は、ＬＣＤ等からなり、カメラ１０のボディ背面に設けられており、撮影済みの画像やスルー画像を表示する。さらに表示部１７は、再生条件、撮影条件、カメラの基本設定等の設定が可能なメニュー画面等を表示することができるようになっている。
【００２３】
つぎに、レリーズスイッチ３０及びレリーズ調整部４０の構成及び作用について詳細に説明する。
図２は、本実施形態のレリーズスイッチ３０のスイッチ構造を概念的に示す断面図である。図３は、レリーズ調整部４０の切り替えスイッチ構造を概念的に示し、（Ａ）は半押し調整スイッチ４１、（Ｂ）は全押し調整スイッチ４２の断面図である。図４は、レリーズスイッチ３０及びレリーズ調整部４０が介設されたレリーズストローク調整制御回路５０のブロック図である。
【００２４】
図２に示すように、レリーズスイッチ３０は、カメラ本体１０Ｂの上面に形成された凹状の支持部３１と、この支持部３１に移動可能に支持されたレリーズ釦３２と、支持部３１及びレリーズ釦３２の間に介設されてレリーズ釦３２を初期位置に押圧付勢するリターンスプリング３３と、を備えて構成されている。
【００２５】
そして、レリーズスイッチ３０は、リターンスプリング３３の押圧付勢力に抗してレリーズ釦３２が押圧操作される（押し下げられる）と、その押圧状況（押圧ストローク）に応じて図４に示すレリーズストローク調整制御回路５０を接続する。制御部２０は、その接続されたレリーズストローク調整制御回路５０の電気信号に基づいて、レリーズの半押し及び全押しの制御を行うようになっている。本実施形態では、制御部２０は、半押しの信号によってフォーカス制御部１８を駆動すると共に測光して露出を決定し、全押しの信号によってシャッタ１９を駆動する。
【００２６】
支持部３１は、円柱状の凹部３１Ａの略中央部分に、円筒状の支持壁部３１Ｂが所定高さに立設されている。
支持壁部３１Ｂの中央には挿入孔としての支持嵌合孔３１Ｃが形成されており、この支持嵌合孔３１Ｃに、後述する挿入部材としてのレリーズ釦３２の、挿入部としての支持軸部３２Ｂが嵌合している。
【００２７】
支持嵌合孔３１Ｃの内周面には、第１導通部としての第１接点部３４と、第２導通部としての第２接点部３５とが設けられている。この第１接点部３４と第２接点部３５とは、周方向に隔離し、電気的に絶縁状態として配置されている。これら第１接点部３４と第２接点部３５が導通状態となることで、レリーズストローク調整制御回路５０が接続されるようになっている。
【００２８】
第１接点部３４は、支持壁部３１Ｂの内周面に周方向所定の幅で、支持部３１の中心軸方向全域に亘って延設されている。この第１接点部３４は、レリーズストローク調整制御回路５０のグランド（ＧＮＤ）側に接続されている。
【００２９】
一方、第２接点部３５は、支持壁部３１Ｂの内周面の第１接点部３４と対向する位置に、支持部３１の中心軸方向に所定間隔で離隔形成された複数（７個）の第２導通部としての接点３５Ａａ，３５Ａｂ，３５Ａｃ，３５Ｂａ，３５Ｂｂ，３５Ｂｃ，３５Ｂｄから成っている。これら７個の接点３５Ａａ，３５Ａｂ，３５Ａｃ，３５Ｂａ，３５Ｂｂ，３５Ｂｃ，３５Ｂｄは、支持部３１の中心軸方向に、第１グループとしての半押し接点群３５Ａ（接点３５Ａａ，３５Ａｂ，３５Ａｃ）と、第２グループとしての全押し接点群３５Ｂ（接点３５Ｂａ，３５Ｂｂ，３５Ｂｃ，３５Ｂｄ）との、機能の異なる二群に区分されている。
【００３０】
レリーズ釦３２は、円盤状の押圧部３２Ａの下面に、支持軸部３２Ｂと取付脚部３２Ｃとがそれぞれ突設されている。これら支持軸部３２Ｂと取付脚部３２Ｃは、押圧部３２Ａと一体に形成されている。
押圧部３２Ａは、使用者によって押圧操作される部位であり、所定厚さの円盤状で、上面は平面となっている。
【００３１】
支持軸部３２Ｂは、所定径の円柱状で所定長さに形成されている。この支持軸部３２Ｂが、前述のごとく支持部３１の支持嵌合孔３１Ｃに移動可能に嵌合している。支持軸部３２Ｂの外面は、支持嵌合孔３１Ｃの内面に接触しつつ摺動するようになっている。
【００３２】
支持軸部３２Ｂの下端近傍の外周面所定位置には、所定幅の第３導通部としての導通部３６が周囲を巡って形成されている。
導通部３６は、レリーズ釦３２が初期位置（押圧操作されない状態）では、支持部３１の支持嵌合孔３１Ｃに設けられた第２接点部３５の最も上側の接点（接点３５Ａａ）より所定量上側に位置するように設定されている。そして、レリーズ釦３２が初期位置から押し下げられて、導通部３６が第２接点部３５のいずれかの接点（３５Ａａ，３５Ａｂ，３５Ａｃ，３５Ｂａ，３５Ｂｂ，３５Ｂｃ，３５Ｂｄのいずれか）に接触すると、その接点と第１接点部３４とが当該導通部３６を介して導通状態となり、レリーズストローク調整制御回路５０が接続するようになっている。
【００３３】
取付脚部３２Ｃは、押圧部３２Ａの外周部分の下面から下方に延設されており、その先端が支持部３１の底部３１Ｄを貫通している。取付脚部３２Ｃの先端は、フック部３２Ｄとなっており、このフック部３２Ｄが支持部３１の底部３１Ｄに係止されている。これによって、レリーズ釦３２は、支持部３１から外れず、且つ、押圧移動は可能として支持部３１に装着されている。この取付脚部３２Ｃは、押圧部３２Ａに対し、円周方向に離隔して２〜３箇所に設けられることが好ましい。
【００３４】
リターンスプリング３３は、レリーズ釦３２の押圧部３２Ａの下面と、支持部３１の底部３１Ｄとの間に介装されており、その弾性復帰力でレリーズ釦３２を支持部３１から突出する側（初期状態の側）に押圧付勢している。
【００３５】
上記のごとく構成されたレリーズスイッチ３０は、リターンスプリング３３の付勢力に抗してレリーズ釦３２を押圧操作すると、その押圧量に応じて第２接点部３５の接点３５Ａａ，３５Ａｂ，３５Ａｃ，３５Ｂａ，３５Ｂｂ，３５Ｂｃ，３５Ｂｄと第１接点部３４とが導通部３６を介して導通する。
【００３６】
ここで、図４に示すように、レリーズストローク調整制御回路５０は、
レリーズスイッチ３０の第１接点部３４と半押し接点群３５Ａの接点３５Ａａとを接続可能な半押し回路５１Ａａ、第１接点部３４と接点３５Ａｂとを接続可能な半押し回路５１Ａｂ、及び、第１接点部３４と接点３５Ａｃとを接続可能な半押し回路５１Ａｃを備えている。
【００３７】
また、レリーズストローク調整制御回路５０は、レリーズスイッチ３０の第１接点部３４と全押し接点群３５Ｂの接点３５Ｂａとを接続可能な全押し回路５１Ｂａ、第１接点部３４と接点３５Ｂｂとを接続可能な全押し回路５１Ｂｂ、第１接点部３４と接点３５Ｂｃとを接続可能な全押し回路５１Ｂｃ、及び、第１接点部３４と接点３５Ｂｄとを接続可能な全押し回路５１Ｂｄを備えている。
【００３８】
そして、半押し回路５１Ａａ，５１Ａｂ，５１Ａｃのいずれかを択一的に選択し、その回路に介設された第１接点部３４と接点３５Ａａ，３５Ａｂ，３５Ａｃとが導通状態となると、その電気信号で制御部２０がレリーズの半押しを判断するようになっている。
また、全押し回路５１Ｂａ，５１Ｂｂ，５１Ｂｃ，５１Ｂｄのいずれかを択一的に選択し、その回路に介設された第１接点部３４と接点３５Ｂａ，３５Ｂｂ，３５Ｂｃ，３５Ｂｄとが導通状態となると、その電気信号で制御部２０がレリーズの全押しを判断するようになっている。
【００３９】
半押し回路５１Ａａ，５１Ａｂ，５１Ａｃ及び全押し回路５１Ｂａ，５１Ｂｂ，５１Ｂｃ，５１Ｂｄの切り替えは、切替部としてのレリーズ調整部４０によって行われる。
すなわち、半押し回路５１Ａａ，５１Ａｂ，５１Ａｃには、レリーズ調整部４０の第１切替部としての半押し調整スイッチ４１が接続されており、この半押し調整スイッチ４１によって半押し回路５１Ａａ，５１Ａｂ，５１Ａｃを択一的に切り替えることができるようになっている。また、全押し回路５１Ｂａ，５１Ｂｂ，５１Ｂｃ，５１Ｂｄには、レリーズ調整部４０の第２切替部としての全押し調整スイッチ４２が接続されており、この全押し調整スイッチ４２によって全押し回路５１Ｂａ，５１Ｂｂ，５１Ｂｃ，５１Ｂｄを択一的に切り替えることができるようになっている。
【００４０】
図３（Ａ）に示すように、レリーズ調整部４０の半押し調整スイッチ４１は、カメラ本体１０Ｂに形成されたスイッチ凹部４１Ａに、スライド部としての切替レバー４１Ｂがカメラ本体１０Ｂの外面に沿って所定のストロークでスライド可能に設けられている。切替レバー４１Ｂの下面には、バネ接点４１Ｃが装着されている。
【００４１】
一方、スイッチ凹部４１Ａの底面には、切替レバー４１Ｂのスライド方向に所定の間隔で半押し回路５１Ａａ，５１Ａｂ，５１Ａｃとそれぞれ対応する３個の接点部としての接点４１ａ，４１ｂ，４１ｃが設けられている。これら３個の接点４１ａ，４１ｂ，４１ｃは、レリーズストローク調整制御回路５０のグランド側（ＧＮＤ）に接続されている。
【００４２】
そして、半押し調整スイッチ４１は、切替レバー４１Ｂをスライド操作することで、そのバネ接点４１Ｃが接点４１ａ，４１ｂ，４１ｃと接触し、半押し回路５１Ａａ，５１Ａｂ，５１Ａｃのいずれかが接続状態となる。つまり、半押し回路５１Ａａ，５１Ａｂ，５１Ａｃの内の一つを選択して接続することになる。
【００４３】
このような構成により、半押し調整スイッチ４１によって選択された半押し回路５１Ａａ，５１Ａｂ，５１Ａｃに介設されたレリーズスイッチ３０の半押し接点群３５Ａの接点３５Ａａ，３５Ａｂ，３５Ａｃが導通状態となると、その半押し回路５１Ａａ，５１Ａｂ，５１Ａｃが接続されて制御部２０が電気信号を検知する。制御部２０は、この電気信号を半押し信号として、フォーカス制御部１８の駆動及び測光等の所定の作動制御を行う。
【００４４】
図３（Ｂ）に示すように、レリーズ調整部４０の全押し調整スイッチ４２は、カメラ本体１０Ｂに形成されたスイッチ凹部４２Ａに、スライド部としての切替レバー４２Ｂがカメラ本体１０Ｂの外面に沿って所定のストロークでスライド可能に設けられている。切替レバー４２Ｂの下面には、バネ接点４２Ｃが装着されている。
【００４５】
一方、スイッチ凹部４２Ａの底面には、切替レバー４２Ｂのスライド方向に所定の間隔で４個の接点部としての接点４２ａ，４２ｂ，４２ｃ，４２ｄが設けられている。これら４個の接点４２ａ，４２ｂ，４２ｃ，４２ｄは、レリーズストローク調整制御回路５０のグランド側（ＧＮＤ）に接続されている。
【００４６】
そして、全押し調整スイッチ４２は、切替レバー４２Ｂのスライド操作によってバネ接点４２Ｃが接点４２ａ，４２ｂ，４２ｃ，４２ｄと接触することで、全押し回路５１Ｂａ，５１Ｂｂ，５１Ｂｃ，５１Ｂｄのいずれかが接続状態となる。つまり、全押し回路５１Ｂａ，５１Ｂｂ，５１Ｂｃ，５１Ｂｄの内の一つを選択して接続することになる。
【００４７】
このような構成により、全押し調整スイッチ４２によって選択された全押し回路５１Ｂａ，５１Ｂｂ，５１Ｂｃ，５１Ｂｄに介設されたレリーズスイッチ３０の全押し接点群３５Ｂの接点３５Ｂａ，３５Ｂｂ，３５Ｂｃ，３５Ｂｄが導通状態となると、その全押し回路５１Ｂａ，５１Ｂｂ，５１Ｂｃ，５１Ｂｄが接続され、制御部２０が電気信号を検知する。制御部２０は、この電気信号を全押しの信号として、シャッタ１９の駆動等の所定の作動制御を行う。
【００４８】
上記のごとく構成されたレリーズスイッチ３０及びレリーズ調整部４０によれば、半押し調整スイッチ４１によって半押し回路５１Ａａ，５１Ａｂ，５１Ａｃを択一的に切り替えることで、半押しのストロークを三段階のうちから選択することができる。また、全押し調整スイッチ４２によって全押し回路５１Ｂａ，５１Ｂｂ，５１Ｂｃ，５１Ｂｄを択一的に切り替えることで、全押しのストロークを四段階のうちから選択することができる。
【００４９】
すなわち、半押し回路５１Ａａ，５１Ａｂ，５１Ａｃに介設された半押し接点群３５Ａの各接点３５Ａａ，３５Ａｂ，３５Ａｃは、レリーズスイッチ３０の支持部３１の中心軸方向（レリーズ釦３２の押圧移動方向）に所定間隔で配設されており、したがって、半押し調整スイッチ４１による半押し回路５１Ａａ，５１Ａｂ，５１Ａｃの択一的な選択（接点３５Ａａ，３５Ａｂ，３５Ａｃの択一的な選択）によって、半押し信号が生ずるレリーズ釦３２の押圧ストロークを任意に設定することができる。
【００５０】
また、同様に、全押し調整スイッチ４２による全押し回路５１Ｂａ，５１Ｂｂ，５１Ｂｃ，５１Ｂｄの択一的な選択によって、全押し信号が生ずるレリーズ釦３２の押圧ストロークを任意に設定することができる。
【００５１】
なお、本実施形態において、支持部３１の第１接点部３４及び第２接点部３５の各接点３５Ａａ，３５Ａｂ，３５Ａｃ，３５Ｂａ，３５Ｂｂ，３５Ｂｃ，３５Ｂｄと、レリーズ釦３２の導通部３６と、レリーズ調整部４０の半押し調整スイッチ４１の接点４１ａ，４１ｂ，４１ｃと、レリーズ調整部４０の全押し調整スイッチ４２の接点４２ａ，４２ｂ，４２ｃ，４２ｄとは、樹脂の２色成形により形成されたものである。２色成形は、メッキ用ＡＢＳ樹脂等のメッキしやすい第１樹脂材料と、ポリカーボネート等のメッキしにくい第２樹脂材料とを用いて行う成形である。
【００５２】
例えば、レリーズ釦３２を２色成形により成形する場合には、金型に第２樹脂材料を注入して導通部３６の対応部分を除いた外形のベースを成形し、次にその金型の一部を交換又は移動して、その交換又は移動によって導通部３６の対応部分に空間を形成する。そして、この空間に第１樹脂材料を注入して導通部３６の対応部分の外形を形成する。この２色成形で成形された部材に対して化学メッキ処理を行うと、メッキしやすい第１樹脂材料の表面にのみメッキが施され、メッキしにくい第２樹脂材料の表面はメッキされない。化学メッキ処理としては、第１樹脂材料の表面に下地としての銅をメッキする第１メッキ処理を行い、次に銅の上に金をメッキする第２メッキ処理を行う。これにより、レリーズ釦３２の支持軸部３２Ｂの外周面に対してリング状の導通部３６を形成することができる。
【００５３】
以上、本実施形態によると、以下の効果を有する。
（１）第２接点部３５の半押し接点群３５Ａの各接点３５Ａａ，３５Ａｂ，３５Ａｃ内のいずれかの接点を選択することによって半押しのストロークを変更することができ、全押し接点群３５Ｂの各接点３５Ｂａ，３５Ｂｂ，３５Ｂｃ，３５Ｂｄの内のいずれかの接点を選択することによって全押しのストロークを変更することができる。これにより、簡単な構造で半押しのストローク及び全押しのストロークを変更することができ、低コスト且つ省スペース化も可能となる。
【００５４】
（第２実施形態）
次に、図５乃至図８に示すレリーズスイッチの第２実施形態を説明する。
図５は、本実施形態のレリーズスイッチ６０のスイッチ構造を概念的に示す断面図である。図６は、半押しストロークを規定する中間フロート６２の斜視図である。図７は、半押しストロークを可変調整する調整リング６３の斜視図である。図８は、レリーズスイッチ６０が介設されたレリーズストローク調整制御回路７０のブロック図である。
【００５５】
図５に示すように、レリーズスイッチ６０は、カメラ本体１０Ｂの上面に形成された凹状の支持部６１と、この支持部６１に移動可能に支持された第２挿入部材としての中間フロート６２と、中間フロート６２の位置を調整する位置調整部材としての調整リング６３と、中間フロート６２に移動可能に支持された第１挿入部材としてのレリーズ釦６４と、支持部６１及び中間フロート６２の間に介設されて中間フロート６２を外側に向けて押圧付勢する付勢スプリング６５Ａと、支持部６１及びレリーズ釦６４の間に介設されてレリーズ釦６４を初期位置に押圧付勢するリターンスプリング６５Ｂと、により構成されている。
【００５６】
そして、レリーズスイッチ６０は、リターンスプリング６５Ｂの押圧付勢力に抗してレリーズ釦６４が押圧操作される（押し下げられる）と、その押圧状況（押圧ストローク）に応じてレリーズストローク調整制御回路７０を接続する。制御部２０は、その接続されたレリーズストローク調整制御回路７０の電気信号に基づいてレリーズの半押し及び全押しの制御（フォーカス制御部の駆動や測光等及びシャッタの駆動）を行う。
【００５７】
支持部６１は、大径の大径部６１Ａの中央に小径の挿入孔としての小径部６１Ｂが形成されて、径の異なる二段に形成されている。
小径部６１Ｂには、後述する中間フロート６２のフロート本体６２Ａが移動可能に嵌合しており、これによって支持部６１が中間フロート６２を支持している。
小径部６１Ｂの内周面には、第１導通部としての第１接点部６６と、第２導通部としての第２接点部６７とが設けられている。第１接点部６６と第２接点部６７とは、周方向に隔離し、電気的に絶縁状態として配置されている。これら第１接点部６６と第２接点部６７とが導通状態となることでレリーズストローク調整制御回路７０が接続されるようになっている。
【００５８】
第１接点部６６は、小径部６１Ｂの内周面に周方向所定の幅で、小径部６１Ｂの中心軸方向には後述する第２接点部６７の配設域全域に亘って延設されている。この第１接点部６６は、レリーズストローク調整制御回路７０のグランド（ＧＮＤ）側に接続されている。
【００５９】
一方、第２接点部６７は、小径部６１Ｂの内周面の第１接点部６６と対向する位置に、支持部６１の中心軸方向に所定間隔で離隔形成された複数（４個）の第２導通部としての接点６７ａ，６７ｂ，６７ｃ，６７ｄを備えている。これら４個の接点６７ａ，６７ｂ，６７ｃ，６７ｄは、レリーズストローク調整制御回路７０として全押しのストローク調整に用いられる。
【００６０】
支持部６１の大径部６１Ａの開口縁部には、内周フランジ６１Ｃが所定の厚さで内周側に突出形成されている。その内周フランジ６１Ｃに、調整リング６３が装着されている。
【００６１】
図６に示すように、中間フロート６２は、円筒状の挿入部としてのフロート本体６２Ａの上縁部に、所定厚さで所定径の円盤状のフランジ６２Ｂを備えている。フランジ６２Ｂの外周縁には、操作突起６２Ｄが径方向所定高さに突設されている。本実施形態では、操作突起６２Ｄは周方向に等間隔で３箇所（すなわち１２０°間隔で）設けられている。なお、この操作突起６２Ｄの数及び配置は、この例に限らず適宜変更可能である。
【００６２】
そして、中間フロート６２は、そのフロート本体６２Ａが、前述のごとく支持部６１の小径部６１Ｂに移動可能に嵌合している。フロート本体６２Ａの外面は、小径部６１Ｂの内面に接触しつつ摺動するようになっている。
【００６３】
フロート本体６２Ａの開口部としての中央孔６２Ｃには、レリーズ釦６４の支持軸部６４Ｂが嵌合しており、これによって中間フロート６２がレリーズ釦６４を支持している。
【００６４】
図５に示すように、フロート本体６２Ａの中央孔６２Ｃの内周面には、それぞれ第４導通部としての第３接点部６２ａと第４接点部６２ｂとが設けられている。この第３接点部６２ａと第４接点部６２ｂとは、中間フロート６２の中心軸方向には同一位置であるが周方向には隔離し、電気的に絶縁状態として配置されている。第３接点部６２ａは、レリーズストローク調整制御回路５０のグランド（ＧＮＤ）側に接続されている。そして、これら第３接点部６２ａと第４接点部６２ｂとが導通状態となることで、レリーズストローク調整制御回路７０が接続されるようになっている。
【００６５】
フロート本体６２Ａの下端近傍の外周面所定位置には、所定幅の第３導通部としての導通部６８が周囲を巡って形成されている。
図５に示すように、導通部６８は、中間フロート６２が初期位置（押圧操作されない状態）では、支持部６１の小径部６１Ｂに設けられた第２接点部６７の最も上側の接点６７ａより上側に位置するように設定されている。そして、初期位置から押し下げられて、その導通部６８が第２接点部６７のいずれかの接点６７ａ，６７ｂ，６７ｃ，６７ｄに接触すると、その接点と第１接点部６６とが当該導通部６８を介して導通状態となり、レリーズストローク調整制御回路７０が接続するようになっている。
【００６６】
中間フロート６２は、当該中間フロート６２と支持部６１の底部６１Ｄとの間に介設された付勢スプリング６５Ａによって、図５中上側に押圧付勢されており、その位置は支持部６１の大径部６１Ａの開口部に設けられた調整リング６３によって規定されている。
すなわち、中間フロート６２の操作突起６２Ｄが、後述する調整リング６３の操作カム面６３Ｂに当接し、これによって中間フロート６２の上側への移動及び脱落が規制されている。
【００６７】
図７に示すように、調整リング６３は、概略形状がリング状で、支持部６１の開口部の内周フランジ６１Ｃに回転可能に嵌る嵌合部６３Ａと、中間フロート６２の操作突起６２Ｄが当接する操作カム面６３Ｂと、を備えている。
【００６８】
操作カム面６３Ｂは、図７中下側に突出した円筒状のリブの下端面であって、周方向の角度に応じて高さが漸次変化するように形成されている。本実施形態では、中間フロート６２の操作突起６２Ｄと対応するように、周方向を三等分する領域ごとに同形状が繰り返して形成されている。
【００６９】
調整リング６３は、その嵌合部６３Ａで支持部６１の内周フランジ６１Ｃに回転自在に装着されており、その操作カム面６３Ｂで、中間フロート６２の操作突起６２Ｄの位置（すなわち中間フロート６２の位置）を規定している。
【００７０】
このような構成により、調整リング６３を回転操作することで、操作突起６２Ｄが当接する操作カム面６３Ｂの周方向の位置が変化し、それに伴って操作カム面６３Ｂの高さ（支持部６１の中心軸方向の位置）が変化するため、中間フロート６２の位置が変化する。
つまり、調整リング６３を回転操作することによって、中間フロート６２の、支持部６１の中心軸方向の位置を調整することができるようになっている。
【００７１】
レリーズ釦６４は、円盤状の押圧部６４Ａの下面に、延在部としての支持軸部６４Ｂと取付脚部６４Ｃとがそれぞれ突設されている。これら支持軸部６４Ｂと取付脚部６４Ｃは、押圧部６４Ａと一体に形成されている。
押圧部６４Ａは、使用者によって押圧操作される部位であり、所定厚さの円盤状で、上面は平面となっている。
【００７２】
支持軸部６４Ｂは、所定径の円柱状で所定長さに形成されている。この支持軸部６４Ｂが、前述のごとく中間フロート６２の中央孔６２Ｃに移動可能に嵌合している。支持軸部６４Ｂの外面は、中央孔６２Ｃの内面に接触しつつ摺動するようになっている。
【００７３】
支持軸部６４Ｂの所定位置には、所定幅の第５導通部としての導通部６４ａが周囲を巡って形成されている。
導通部６４ａは、レリーズ釦６４が初期位置（押圧操作されない状態）では、中間フロート６２の中央孔６２Ｃに設けられた第３接点部６２ａ及び第４接点部６２ｂより上側に位置するように設定されている。レリーズ釦６４が通常位置から押し下げられて、導通部６４ａが第３接点部６２ａ及び第４接点部６２ｂに接触すると、その第３接点部６２ａと第４接点部６２ｂとが当該導通部６４ａを介して導通状態となり、レリーズストローク調整制御回路７０が接続するようになっている。
【００７４】
取付脚部６４Ｃは、支持軸部６４Ｂの下面中心部から下方に延設されており、その先端が支持部６１の底部６１Ｄを貫通している。取付脚部６４Ｃの先端は、大径の脱落防止部６４Ｄとなっており、この脱落防止部６４Ｄが支持部６１の底部６１Ｄに係止されている。これによって、レリーズ釦６４は、支持部６１から外れず、且つ、押圧移動は可能として支持部６１に装着されている。
【００７５】
リターンスプリング６５Ｂは、レリーズ釦６４の押圧部６４Ａの下面と、支持部６１の底部６１Ｄとの間に介装されており、その弾性復帰力でレリーズ釦６４を支持部６１から突出する側に押圧付勢している。
これにより、レリーズ釦６４は、初期状態（図５に示す押圧操作されない状態）において支持部６１から最も突出した状態で装着され、押圧部６４Ａの押圧操作によって支持部６１に対してその中心軸方向に移動する。
【００７６】
ここで、図５に示す初期状態において、レリーズ釦６４の押圧部６４Ａの下面と、中間フロート６２の上面との間隔：Ｌは、導通部６４ａと第３接点部６２ａ及び第４接点部６２ｂとの間隔：ｌより大きく設定されている。中間フロート６２は、前述のごとく調整リング６３の回転操作によってその位置が支持部６１の中心軸方向に移動するために間隔：Ｌは変化する。しかし、その値が最小の状態においてなお、間隔：ｌより大きく設定される。
【００７７】
また、調整リング６３の回転操作による中間フロート６２の調節移動範囲は、中間フロート６２が突出する側では、間隔：ｌが間隔：Ｌ未満であるように設定される。一方、中間フロート６２が陥入する側では、中間フロート６２の外周面に形成された導通部６８が、支持部６１の内周面に形成された第２接点部６７の最も上側に位置する接点６７ａと接しない位置までに設定される。
【００７８】
上記のごとく構成されたレリーズスイッチ６０は、リターンスプリング６５Ｂの付勢力に抗してレリーズ釦６４を押圧操作すると、レリーズ釦６４は中間フロート６２に対して移動して、その導通部６４ａが第３接点部６２ａと第４接点部６２ｂに接触し、導通部６４ａを介して第３接点部６２ａと第４接点部６２ｂとが導通する。さらに押圧を続け、レリーズ釦６４の押圧部６４Ａの下面が中間フロート６２の上面に当接すると、中間フロート６２を付勢スプリング６５Ａの付勢力に抗して押し下げることとなり、その押圧量に応じて第１接点部６６と第２接点部６７の接点６７ａ，６７ｂ，６７ｃ，６７ｄとが導通部６８を介して導通する。
【００７９】
ここで、図８に示すように、レリーズストローク調整制御回路７０は、レリーズスイッチ６０の第３接点部６２ａ及び第４接点部６２ｂが介設された半押し回路７１を備えている。この第３接点部６２ａと第４接点部６２ｂとで半押し回路７１を断続切替する第１スイッチとしての半押しスイッチ７４を構成している。
【００８０】
また、レリーズストローク調整制御回路７０は、第１接点部６６及び第２接点部６７の接点６７ａ，６７ｂ，６７ｃ，６７ｄが介設された全押し回路７２ａ，７２ｂ，７２ｃ，７２ｄを、並列に備えている。
【００８１】
そして、半押し回路７１が導通状態となると、その電気信号で制御部２０がレリーズの半押しを判断するようになっている。また、全押し回路７２ａ，７２ｂ，７２ｃ，７２ｄのいずれかを択一的に選択し、その回路に介設された第１接点部６６と接点６７ａ，６７ｂ，６７ｃ，６７ｄが導通状態となると、その電気信号で制御部２０がレリーズの全押しを判断するようになっている。
【００８２】
上記のごとき構成により、レリーズ釦６４の押圧操作によって、導通部６４ａを介して第３接点部６２ａと第４接点部６２ｂとが導通すると、半押し回路７１が接続されて制御部２０が電気信号を検知する。この電気信号が半押しの信号となり、制御部２０はフォーカス制御部１８の駆動及び測光を行う。
【００８３】
ここで、前述のごとく、中間フロート６２は、調整リング６３の回転操作によって支持部６１の中心軸方向に移動可能である。この中間フロート６２の移動によって、レリーズ釦６４の押圧部６４Ａの下面と、中間フロート６２の上面との間隔：Ｌは変化する。また、中間フロート６２の中央孔６２Ｃに形成された第３接点部６２ａ及び第４接点部６２ｂと、レリーズ釦６４の導通部６４ａとの間隔：ｌが変化する。その結果、レリーズ釦６４の押し初めから半押し回路７１が接続されまでのストローク（半押しストローク）が変化する。つまり、調整リング６３の回転操作によって中間フロート６２の位置を変化させることで、半押しストロークを所定の範囲で任意に設定することができる。
【００８４】
一方、全押し回路７２ａ，７２ｂ，７２ｃ，７２ｄの切り替えは、レリーズストローク調整制御回路７０に介設された全押し調整スイッチ７３によって行われるようになっている。この全押し調整スイッチ７３は、前述の実施形態における全押し調整スイッチ４２と同様に構成すればよく、説明は省略する。
【００８５】
以上、本実施形態によると、以下の効果を有する。
（１）全押し調整スイッチ７３による全押し回路７２ａ，７２ｂ，７２ｃ，７２ｄの選択により、全押しのストロークを選択（本実施形態においては四段階のうちから選択）することができる。
すなわち、全押し回路７２ａ，７２ｂ，７２ｃ，７２ｄに介設された接点６７ａ，６７ｂ，６７ｃ，６７ｄは、レリーズスイッチ６０の支持部６１の中心軸方向（レリーズ釦６４及び中間フロート６２の移動方向）に所定間隔で配設されており、したがって、全押し調整スイッチ７３による全押し回路７２ａ，７２ｂ，７２ｃ，７２ｄの択一的な選択（接点６７ａ，６７ｂ，６７ｃ，６７ｄの択一的な選択）によって、全押し信号が生ずるレリーズ釦６４の押圧ストロークを任意に設定することができる。
【００８６】
（２）上記のごとく構成されたレリーズスイッチ６０及びレリーズストローク調整制御回路７０によれば、レリーズスイッチ６０に設けられた調整リング６３を回転操作することで半押しストロークを所定の範囲で任意に設定することができる。また、全押し調整スイッチ７３によって全押し回路７２ａ，７２ｂ，７２ｃ，７２ｄを択一的に切り替えることで、全押しのストロークを四段階のうちから選択することができる。
【００８７】
（変形形態）
なお、本発明は、上記実施形態に限定されることなく、以下に示すような種々の変形や変更が可能であり、それらも本発明の範囲内である。
（１）実施形態では、カメラのレリーズスイッチに対して半押しのストローク及び全押しのストロークを変更する場合を説明したが、これに限らず、パソコン等の電子機器の釦に対して適用することができる。すなわち、電子機器の釦に対して、ストロークを変更することにより、そのストロークに応じた処理や表示のスイッチングを行うことができる。
（２）また、ストロークの調節に係る接点の数等は、適宜変更可能である。
（３）さらに、実施形態では、各接点を２色成形によって形成する例を示したが、接点の形成はこれに限らず、通常の樹脂成形を行った後に導電材料を貼り付けて形成してもよい。
【００８８】
なお、実施形態及び変形形態は、適宜組み合わせて用いることもできるが、詳細な説明は省略する。また、本発明は以上説明した実施形態によって限定されることはない。
【符号の説明】
【００８９】
１：スイッチ構造、１０：カメラ、１０Ｂ：カメラ本体、３０：レリーズスイッチ、３１：支持部、３１Ｃ：支持嵌合孔、３２：レリーズ釦、３２Ａ：押圧部、３２Ｂ：支持軸部、３４：第１接点部、３５：第２接点部、３５Ａ：半押し接点群、３５Ａａ，３５Ａｂ，３５Ａｃ：接点、３５Ｂ：全押し接点群、３５Ｂａ，３５Ｂｂ，３５Ｂｃ，３５Ｂｄ：接点、３６：導通部、４０：レリーズ調整部、４１：半押し調整スイッチ、４１Ｂ：切替レバー、４１Ｃ：バネ接点、４１ａ，４１ｂ，４１ｃ：接点、４２：全押し調整スイッチ、４２Ｂ：切替レバー、４２Ｃ：バネ接点、４２ａ，４２ｂ，４２ｃ，４２ｄ：接点、６０：レリーズスイッチ、６１：支持部、６１Ｂ：小径部、６２：中間フロート、６２Ａ：フロート本体、６２Ｃ：中央孔、６２ａ：第３接点部、６２ｂ：第４接点部、６３：調節リング、６４：レリーズ釦、６４Ａ：押圧部、６４Ｂ：支持軸部、６４ａ：導通部、６６：第１接点部、６７：第２接点部、６７ａ，６７ｂ，６７ｃ，６７ｄ：接点、６８：導通部、７３：全押し調整スイッチ、７４：半押しスイッチ
【図１】
2010177169.tif 000003
【図２】
2010177169.tif 000004
【図３】
2010177169.tif 000005
【図４】
2010177169.tif 000006
【図５】
2010177169.tif 000007
【図６】
2010177169.tif 000008
【図７】
2010177169.tif 000009
【図８】
2010177169.tif 000010